(57)【要約】  複数のＩＭＳにサインイン中でも、ある１つのＩＭＳの内容を可能な限り大きな表示範囲を確保しつつ常に表示させ、同時に、他のＩＭＳの未読メッセージの存在を確認可能とする。携帯端末装置１００は、アカウントにサインイン済みの複数のＩＭＳ１〜３と、表示部７と、選択された１のＩＭＳの内容を主表示領域１０に表示し、選択されなかった他のＩＭＳについて対応するＩＭＳアイコンを副表示領域２０に表示する表示制御部６と、メッセージ通知部４と、受信メッセージがいずれのＩＭＳに対するメッセージであるか判断し、主表示領域１０で現在表示閲覧中のＩＭＳに対するメッセージでなかった場合、該当のＩＭＳに未読メッセージが存在することを表示させるべく、副表示領域２０で対応するＩＭＳアイコンの表示を視覚的に変化させるメッセージングＵＩ連携部５と、を備える。
2012111058.tif 000002
【特許請求の範囲】
【請求項１】
インスタントメッセージサービスをユーザに提供するアプリケーションプログラムであって、アカウントにサインイン済みの複数のインスタントメッセージサービスと、
主表示領域と、当該主表示領域とは別に設けられる副表示領域と、を含む表示画面を表示する表示手段と、
前記表示手段の表示を制御し、前記複数のインスタントメッセージサービスのうちで選択されたいずれか１のインスタントメッセージサービスが提供するサービスの内容を前記主表示領域に表示すると共に、選択されなかった他のインスタントメッセージサービスについては対応するインスタントメッセージサービスアイコンを前記副表示領域に表示する表示制御手段と、
インスタントメッセージを端末装置が受信したことを検出し、インスタントメッセージの着信が発生した旨を通知するメッセージ通知手段と、
前記メッセージ通知手段からの通知に応じて、前記端末装置が受信したインスタントメッセージが、前記複数のインスタントメッセージサービスのうちでいずれのインスタントメッセージサービスに対するメッセージであるかを判断し、前記主表示領域において現在表示閲覧中のインスタントメッセージサービスに対するメッセージでなかった場合に、該当するインスタントメッセージサービスについて未読メッセージが存在することを表示させるべく、前記副表示領域において、対応する前記インスタントメッセージサービスアイコンの表示を視覚的に変化させるように、前記表示制御手段に対して表示画面更新命令を出力するメッセージングユーザインタフェース連携手段と、
を備える、携帯端末装置。
【請求項２】
前記メッセージングユーザインタフェース連携手段は、
前記端末装置が受信したインスタントメッセージに含まれるユーザＩＤから、前記複数のインスタントメッセージサービスのうちでいずれのインスタントメッセージサービスに対するメッセージであるかを判断する
ことを特徴とする請求項１に記載の携帯端末装置。
【請求項３】
前記メッセージングユーザインタフェース連携手段は、
前記端末装置が受信したインスタントメッセージが、前記主表示領域において現在表示閲覧中のインスタントメッセージサービスに対するメッセージでなかった場合に、未読メッセージの個数をカウントしてメモリに記憶し、前記副表示領域において、対応する前記インスタントメッセージサービスアイコンの表示に加えて、前記メモリに記憶した未読メッセージの個数を表示させる
ことを特徴とする請求項１又は２に記載の携帯端末装置。
【請求項４】
主表示領域と、当該主表示領域とは別に設けられる副表示領域と、を含む表示画面の表示を制御し、アカウントにサインイン済みの複数のインスタントメッセージサービスのうちで選択されたいずれか１のインスタントメッセージサービスが提供するサービスの内容を前記主表示領域に表示すると共に、選択されなかった他のインスタントメッセージサービスについては対応するインスタントメッセージサービスアイコンを前記副表示領域に表示する表示制御ステップと、
インスタントメッセージを端末装置が受信したことを検出し、インスタントメッセージの着信が発生した旨を通知するメッセージ通知ステップと、
前記通知に応じて、前記端末装置が受信したインスタントメッセージが、前記複数のインスタントメッセージサービスのうちでいずれのインスタントメッセージサービスに対するメッセージであるかを判断し、前記主表示領域において現在表示閲覧中のインスタントメッセージサービスに対するメッセージでなかった場合に、該当するインスタントメッセージサービスについて未読メッセージが存在することを表示させるべく、前記副表示領域において、対応する前記インスタントメッセージサービスアイコンの表示を視覚的に変化させるように、表示画面更新命令を出力するメッセージングユーザインタフェース連携ステップと、
を有する、携帯端末装置の画面表示方法。
【請求項５】
前記メッセージングユーザインタフェース連携ステップでは、
前記端末装置が受信したインスタントメッセージに含まれるユーザＩＤから、前記複数のインスタントメッセージサービスのうちでいずれのインスタントメッセージサービスに対するメッセージであるかを判断する
ことを特徴とする請求項４に記載の携帯端末装置の画面表示方法。
【請求項６】
前記メッセージングユーザインタフェース連携ステップでは、
前記端末装置が受信したインスタントメッセージが、前記主表示領域において現在表示閲覧中のインスタントメッセージサービスに対するメッセージでなかった場合に、未読メッセージの個数をカウントしてメモリに記憶し、前記副表示領域において、対応する前記インスタントメッセージサービスアイコンの表示に加えて、前記メモリに記憶した未読メッセージの個数を表示させる
ことを特徴とする請求項４又は５に記載の携帯端末装置の画面表示方法。
【発明の詳細な説明】
【技術分野】
【０００１】
本発明は、携帯端末装置およびその画面表示方法に関する。
【背景技術】
【０００２】
近年、携帯電話端末やＰＤＡ（Personal Digital Assistant）等の携帯端末装置において、インスタントメッセージサービス（ＩＭＳ：Instant Message Service）の提供が行われるようになってきている。ＩＭＳを利用することで、ネットワークを介して接続されたユーザ間で、短いメッセージをリアルタイムにやりとりすることができる。【０００３】
本発明に関連する技術として、例えば、特許文献１及び２などに開示される技術がある。特許文献１には、小型スクリーンデバイス上での、新しいイベントのプレビューイングを可能とする技術が開示されている。当該技術では、複数のアプリケーションを有するコンピュータデバイスに関して、その小型スクリーン上にそれら複数のアプリケーションのアイコンを表示している。そして、当該技術では、アプリケーションのイベント発生に応じて対応するアイコンを視覚的に変更し、さらに、その視覚的に変更したアプリケーションが選択された場合には、対応するアプリケーションのメッセージなどのプレビューイングを表示するものである。【０００４】
また、特許文献２には、携帯端末を介して、サーバとクライアント端末とがインスタントメッセージを含むデータ通信を行う通信システムが開示されている。当該通信システムでは、サーバから携帯端末にデータが送信されたことを、作業中のクライアント端末に速やかに知らせることを目的とするものである。
【先行技術文献】
【特許文献】
【０００５】
【特許文献１】特表２００７−５１２６３５号公報
【特許文献２】特開２０１０−０８６３２６号公報
【発明の概要】
【発明が解決しようとする課題】
【０００６】
ところで、ＩＭＳは、多くの会社によって様々な種類のプログラムが提供されており、携帯端末装置のユーザにとっては、ある特定の１つのＩＭＳの利用に限られず、複数のＩＭＳを同時に利用できると非常に便利である。【０００７】
しかし、ノートパソコンやデスクトップパソコンなどの比較的大きな表示画面を有する装置とは異なり、携帯端末装置の表示画面は小さく、表示内容やその表示方法について大きな制約が課せられている。このため、複数のＩＭＳに関する情報を、限られた表示画面領域内において、いかにして表示させるかが問題となる。【０００８】
例えば、複数の種類のＩＭＳが携帯端末装置にインストールされ、それらＩＭＳにサインイン（Sign in）するためのアカウントをユーザが複数持っているような場合、本発明に関連する携帯端末装置では、ユーザは、サインインしたいアカウントを１つ選択して、その選択したアカウントに関して表示される内容のみを、表示画面に表示させていた。また、選択されたアカウントに関して表示される内容のみを、表示画面内においてできる限り大きく表示させていた。【０００９】
上述した本発明に関連する携帯端末装置にかかる表示方法を用いれば、ある１つのアカウントに関して表示される内容について、できる限り大きな表示範囲を確保しつつ常にその内容を表示させることができるものの、同時に利用したいアカウントが他にも存在していた場合には、他のアカウントの状況を知ることができない、という課題があった。【００１０】
例えば、他のアカウントについて未読メッセージの存在を確認するためには、本発明に関連する携帯端末装置では、まずは、該当アカウントへのサインインを経た上でそのアカウントに関する内容を画面に表示させ、その上で、その表示画面内で未読メッセージの存在を確認する必要があった。このように、他のアカウントの未読メッセージの存在を確認するために、現在表示閲覧中のアカウントに関する画面から、該当のアカウントに関する画面へと切り替えて移動する必要があり、ユーザにとってその操作に手間がかかり、不便なものであった。【００１１】
なお、特許文献１では、複数のアプリケーションによるサービスに関して、それらアプリケーションのアクティベーションアイコンを介してサービスのイベントをそれぞれチェックすることが不便であるために、スクリーン上に複数のアイコンを表示させておき、アプリケーションのイベント発生に応じて対応するアイコンを視覚的に変更することで、ユーザに新しいイベントを簡単に通知させるものである（段落０００５、０００８など）。さらに、特許文献１では、視覚的に変更されたアイコンが選択された場合には、対応するアプリケーションのメッセージなどの一部を、プレビューイングとして表示するものである（段落０００８、図６、７など）。【００１２】
このように、特許文献１では、複数のサービスのイベントをユーザが同時に把握するために、複数のアイコンを画面内に配置して表示させると共にイベント変化に応じて視覚的に変化させ、アイコンが選択されると初めてメッセージの一部がプレビューされる点が開示されているに過ぎない。【００１３】
また、特許文献２では、ある１つの特定のＩＭＳにおいて送受信されるメッセージに関して、携帯端末からクライアント端末へのメッセージの送信状況や転送状況が、携帯端末やクライアント端末の画面内に表示される点が開示されているに過ぎない（図１３、図１５など）。【００１４】
すなわち、特許文献１や特許文献２に開示された技術では、複数のＩＭＳのアカウントにサインインしている場合においても、ある１つのアカウントに関する内容を可能な限り大きな表示範囲を確保しつつ常に表示させ、同時に、他のアカウントについての未読メッセージの存在を確認すること、はできないものである。【００１５】
そこで本発明の目的は、これらの課題を解決し、ＩＭＳの内容の表示方法に関して、複数のＩＭＳのアカウントにサインインしている場合においても、ある１つのＩＭＳの内容を可能な限り大きな表示範囲を確保しつつ常に表示させ、同時に、他のＩＭＳについての未読メッセージの存在を確認することが可能な携帯端末装置及びその画面表示方法を提供することである。
【課題を解決するための手段】
【００１６】
本発明の第一の態様に係る携帯端末装置は、インスタントメッセージサービスをユーザに提供するアプリケーションプログラムであって、アカウントにサインイン済みの複数のインスタントメッセージサービスと、主表示領域と、当該主表示領域とは別に設けられる副表示領域と、を含む表示画面を表示する表示部と、前記表示部の表示を制御し、前記複数のインスタントメッセージサービスのうちで選択されたいずれか１のインスタントメッセージサービスが提供するサービスの内容を前記主表示領域に表示すると共に、選択されなかった他のインスタントメッセージサービスについては対応するインスタントメッセージサービスアイコンを前記副表示領域に表示する表示制御部と、インスタントメッセージを端末装置が受信したことを検出し、インスタントメッセージの着信が発生した旨を通知するメッセージ通知部と、前記メッセージ通知部からの通知に応じて、前記端末装置が受信したインスタントメッセージが、前記複数のインスタントメッセージサービスのうちでいずれのインスタントメッセージサービスに対するメッセージであるかを判断し、前記主表示領域において現在表示閲覧中のインスタントメッセージサービスに対するメッセージでなかった場合に、該当するインスタントメッセージサービスについて未読メッセージが存在することを表示させるべく、前記副表示領域において、対応する前記インスタントメッセージサービスアイコンの表示を視覚的に変化させるように、前記表示制御部に対して表示画面更新命令を出力するメッセージングユーザインタフェース連携部と、を備えるものである。【００１７】
また、本発明の第二の態様に係る携帯端末装置の画面表示方法は、主表示領域と、当該主表示領域とは別に設けられる副表示領域と、を含む表示画面の表示を制御し、アカウントにサインイン済みの複数のインスタントメッセージサービスのうちで選択されたいずれか１のインスタントメッセージサービスが提供するサービスの内容を前記主表示領域に表示すると共に、選択されなかった他のインスタントメッセージサービスについては対応するインスタントメッセージサービスアイコンを前記副表示領域に表示する表示制御ステップと、インスタントメッセージを端末装置が受信したことを検出し、インスタントメッセージの着信が発生した旨を通知するメッセージ通知ステップと、前記通知に応じて、前記端末装置が受信したインスタントメッセージが、前記複数のインスタントメッセージサービスのうちでいずれのインスタントメッセージサービスに対するメッセージであるかを判断し、前記主表示領域において現在表示閲覧中のインスタントメッセージサービスに対するメッセージでなかった場合に、該当するインスタントメッセージサービスについて未読メッセージが存在することを表示させるべく、前記副表示領域において、対応する前記インスタントメッセージサービスアイコンの表示を視覚的に変化させるように、表示画面更新命令を出力するメッセージングユーザインタフェース連携ステップと、を有するものである。
【発明の効果】
【００１８】
本発明によれば、ＩＭＳの表示手法に関して、複数のＩＭＳのアカウントにサインインしている場合においても、ある１つのＩＭＳの内容を可能な限り大きな表示範囲を確保しつつ常に表示させ、同時に、他のＩＭＳについての未読メッセージの存在を確認することが可能な携帯端末装置及びその画面表示方法を提供することができる。
【図面の簡単な説明】
【００１９】
【図１】実施の形態１にかかる携帯端末装置の機能ブロック図である。
【図２】実施の形態１にかかる携帯端末装置の画面表示である。
【図３】実施の形態１にかかる携帯端末装置の画面表示である。
【図４】実施の形態１にかかる画面表示手順を示すフローチャートである。
【発明を実施するための形態】
【００２０】
実施の形態１．
以下、図面を参照して本発明の実施の形態について説明する。
図１は、本実施の形態に係る携帯端末装置の機能ブロック図である。携帯端末装置１００は、サインイン済みの複数のＩＭＳ１〜３（Instant Message Service A、Instant Message Service B、Instant Message Service C）と、メッセージ通知部４と、Ｍｅｓｓａｇｉｎｇ  ＵＩ連携部５と、表示制御部６と、表示部７と、を備えている。
【００２１】
なお、図示は省略するが、携帯端末装置１００は、プログラムに従って携帯端末装置１００の各部を制御する制御部（ＣＰＵ：Central Processing Unit）と、プログラム等を格納するＲＯＭ（Read Only Memory）と、プログラム実行の際に用いられるＲＡＭ（Random Access Memory）と、ユーザが操作入力を行う入力操作部と、入力操作部に接続されて入力の検知を行う入力制御部と、基地局等を介して外部の装置との間でデータの送受信を行う無線通信部と、無線通信部の制御を行う無線通信制御部と、を備えている。
【００２２】
また、入力操作部は、携帯端末装置１００が備えるユーザインタフェースであり、携帯端末装置１００が備えるキーボードやタッチパネルなどの公知の入力装置を用いて実現される。ユーザは、キーボードをキー操作する、或いは、タッチパネルをタッチ操作することで、携帯端末装置１００を操作することができる。
【００２３】
また、図１に示す例では、携帯端末装置１００にインストールされているＩＭＳのうちで、既にアカウントにサインイン済みのＩＭＳを表示している。さらに、表示部６は、例えば、ハードウェア（回路）として構成してもよいし、或いは、同様の機能を有するソフトウエアとして構成し、携帯端末装置１００にインストールするものとしてもよい。
【００２４】
ＩＭＳ１〜３（Instant Message Service A、Instant Message Service B、Instant Message Service C）は、インスタントメッセージサービスを提供するアプリケーションプログラムである。ＩＭＳ１〜３は、携帯端末装置１００上においてそれぞれ動作し、外部装置からのインスタントメッセージ（以下、単にメッセージと称する場合がある。）の受信や、メッセージ表示データの生成などを行う機能を有している。また、ＩＭＳ１〜３は、メッセージの入力や、送信メッセージの生成などを行う機能についても有している。
【００２５】
ユーザは、例えばユーザＩＤとパスワード等の認証を行うことで、ＩＭＳのアカウントへサインインすることができる。これにより、ユーザは、携帯端末装置１００を利用して、インスタントメッセージサービスを利用することができる。
【００２６】
メッセージ通知部４は、メッセージを携帯端末装置１００が受信したことを検出し、メッセージの着信が発生した旨を、Ｍｅｓｓａｇｉｎｇ  ＵＩ連携部５に通知する。
【００２７】
Ｍｅｓｓａｇｉｎｇ  ＵＩ（メッセージングユーザインタフェース）連携部５は、メッセージ通知部４からの通知に応じて、携帯端末装置１００が受信したメッセージが、いずれのＩＭＳに対するメッセージであるかを判断する。具体的に述べると、Ｍｅｓｓａｇｉｎｇ  ＵＩ連携部５は、受信したメッセージに含まれるユーザＩＤから、いずれのＩＭＳに対するメッセージであるかを判断する。Ｍｅｓｓａｇｉｎｇ  ＵＩ連携部５は、対応するＩＭＳに対して、新着メッセージの到着を通知する。
【００２８】
Ｍｅｓｓａｇｉｎｇ  ＵＩ連携部５は、上記判断の結果、現在表示閲覧中のＩＭＳのメッセージでなかった場合には、該当するＩＭＳについて未読メッセージが存在することを表示画面に表示させるために、表示制御部６に対して表示画面更新命令を出力する。また、Ｍｅｓｓａｇｉｎｇ  ＵＩ連携部５は、ＩＭＳについての未読メッセージが存在することに加えて、未読メッセージの個数についても表示画面に表示させることができる。Ｍｅｓｓａｇｉｎｇ  ＵＩ連携部５は、例えば、現在表示閲覧中のＩＭＳ以外のＩＭＳについての未読メッセージの個数をカウントし、カウント値をＲＡＭなどに記録しておくことで、未読メッセージの個数を把握することができる。
【００２９】
さらに、Ｍｅｓｓａｇｉｎｇ  ＵＩ連携部５は、メッセージの受信先となるＩＭＳに対して、メッセージが到着したことを通知する。Ｍｅｓｓａｇｉｎｇ  ＵＩ連携部５からの通知を受けたＩＭＳは、メッセージを受信する。
【００３０】
表示制御部６は、表示部７に接続され、表示部７の表示を制御する。表示部７は、携帯端末装置１００の本体の前面に配置された表示装置（不図示）を用いて実現され、例えば、白黒或いはカラーの液晶パネルや有機ＥＬ（電子蛍光）等が用いられる。詳細は後述するが、表示部７の表示画面には、主表示領域１０と、主表示領域１０とは別に設けられる副表示領域２０と、が含まれている。表示制御部６は、複数のＩＭＳのうちでユーザに選択されたいずれか１のＩＭＳが提供するサービスの内容を主表示領域１０に表示すると共に、選択されなかった他のＩＭＳについては、対応するＩＭＳアイコンを副表示領域２０に表示する。
【００３１】
図２及び図３は、本実施の形態に係る画面の表示例を示している。
図２では、表示画面１１０には、携帯端末装置１００にインストール済みの複数のＩＭＳ１〜３（Instant Message Service A、Instant Message Service B、Instant Message Service C）が表示されている。すなわち、図２では、携帯端末装置１００にインストールされているＩＭＳの一覧が表示されている。なお、図２に示す例では、３つのＩＭＳ１〜３を一覧に表示しているが、４以上のＩＭＳがインストールされて表示されてもよいし、１又は２のＩＭＳがインストールされて表示されてもよい。
【００３２】
図２の状態で、インストール済みのＩＭＳの一覧からサインインしたいＩＭＳをユーザが選択すると、そのＩＭＳについてのユーザ情報入力画面に切り替わる。ユーザ情報入力画面において、ユーザＩＤ及びパスワードをユーザが入力することで、該当のＩＭＳのアカウントにサインインすることができる。そして、ユーザ情報入力画面でのサインインが終了すると表示画面は再び図２に示す表示画面に戻る。図２に示す表示画面に戻った後、サインイン済みのＩＭＳをユーザが選択すると、図３へと画面の表示が切り替えられ、ユーザが選択したＩＭＳのメッセージの内容が主表示領域１０に表示される。例えば、図２に示すインストール済みのＩＭＳ１〜３の全てについてユーザ入力画面でのサインインが行われた場合（すなわち、ＩＭＳ１〜３の全てについてサインイン済みとなった場合）に、図２に示す表示画面においてInstant Message Service A（ＩＭＳ１）をユーザが選択することで、図３に例示する画面へと、画面の表示が切り替えられる。
【００３３】
図３に例示するように、表示画面１１０は、主表示領域１０と、副表示領域２０と、を有している。図３では、主表示領域１０の領域上部に隣接して副表示領域２０が設けられている。主表示領域１０は、ユーザが選択したＩＭＳのメッセージを表示するために使用される。副表示領域２０は、主表示領域１０とは別に設けられ、ユーザに選択されなかったＩＭＳについてのメッセージの未読状況を表示するために使用される。すなわち、ユーザが選択したＩＭＳのメッセージの内容が主表示領域１０に表示され、選択されなかったＩＭＳについてのメッセージの未読状況が副表示領域２０に表示される。ユーザが選択したＩＭＳのメッセージの内容を常に表示するために、表示画面１１０における主表示領域１０が占める範囲は、副表示領域２０が占める範囲と比較して、相対的により大きな範囲を占めている。
【００３４】
また、図３では、副表示領域２０に、ユーザに選択されなかったＩＭＳについて、各ＩＭＳをそれぞれ示すＩＭＳアイコン２１、２２が表示されている。さらに、ＩＭＳアイコン２１には、未読メッセージの存在を示す未読メッセージ存在アイコン３１が表示されている。すなわち、ユーザに選択されなかったＩＭＳについては、ＩＭＳの存在と未読メッセージの存在のみが副表示領域２０に表示される。
【００３５】
なお、未読メッセージ存在アイコン３１については、未読メッセージが存在する場合にのみ、ＩＭＳアイコン２１に加えて未読メッセージ存在アイコン３１を表示するものとしてもよい。また、未読メッセージの個数を、未読メッセージ存在アイコン３１上に表示してもよい。ＩＭＳアイコン２１、２２や、未読メッセージ存在アイコン３１のレイアウトやデザインについては特に限定されず、他のレイアウトやデザインを採用するものとしてもよい。
【００３６】
図３に示す例では、主表示領域１０には、ユーザが選択したＩＭＳ１（Instant Message Service A）の内容が表示されており、他のユーザとの間でやりとりするメッセージの内容などが表示される。副表示領域２０には、ユーザに選択されなかったＩＭＳ２（Instant Message Service B）を示すＩＭＳアイコン２１と、ユーザに選択されなかったＩＭＳ３（Instant Message Service C）を示すＩＭＳアイコン２２と、が表示されている。さらに、ＩＭＳ２（Instant Message Service B）に関して未読メッセージが存在するために、副表示領域２０のＩＭＳアイコン２１において未読メッセージ存在アイコン３１が表示されている。
【００３７】
図４は、本実施の形態に係る画面表示手順を示すフローチャートである。なお、図４では、主表示領域１０には、ユーザが選択したＩＭＳ１（Instant Message Service A）の内容が表示されている場合を例に説明する（すなわち、ＩＭ１の内容をユーザが現在表示閲覧中である。）。
【００３８】
まず、ＩＭＳ１（Instant Message Service A）の内容が主表示領域１０に表示されている状態で（Ｓ１）、携帯端末装置１００に新着メッセージが到着した場合、メッセージ通知部４は、新着メッセージが到着したことを、Ｍｅｓｓａｇｉｎｇ  ＵＩ連携部５に通知する（Ｓ２）。
【００３９】
通知を受けたＭｅｓｓａｇｉｎｇ  ＵＩ連携部５は、新着メッセージが、現在表示閲覧中のＩＭＳ１のアカウントに対するメッセージであるか否かを判断する（Ｓ３）。判断の結果、ＩＭＳ１に対するメッセージでない場合には、Ｍｅｓｓａｇｉｎｇ  ＵＩ連携部５は、副表示領域２０において、対応するＩＭＳアイコンの表示を視覚的に変化させるように、表示制御部６に対して表示画面更新命令を出力する（Ｓ４）。より具体的には、Ｍｅｓｓａｇｉｎｇ  ＵＩ連携部５は、副表示領域２０において、対応するＩＭＳについてのＩＭＳアイコン上の未読メッセージ存在アイコンを更新する。これにより、現在表示閲覧中のＩＭＳ以外のＩＭＳについて未読メッセージが存在することが、副表示領域２０に表示される。
【００４０】
判断の結果、ＩＭＳ１に対するメッセージである場合には、Ｍｅｓｓａｇｉｎｇ  ＵＩ連携部５からＩＭＳ１に対して、メッセージが到着したことが通知される。通知を受けたＩＭＳ１は、受信したメッセージからメッセージ表示データの生成などを行い、表示制御部６に対して表示画面更新命令を出力して、主表示領域１０において、新着メッセージを表示する（Ｓ５）。これにより、現在表示閲覧中のＩＭＳについて、新着メッセージの内容が、主表示領域１０に表示される。
【００４１】
なお、主表示領域１０において表示させたいＩＭＳを切り替えたい場合には、ユーザは、例えば、副表示領域２０のＩＭＳアイコン２１、２２をタッチ操作すればよい。例えば、副表示領域２０のＩＭＳアイコン２１がタッチ操作された場合には、ＩＭＳ２が、そのメッセージを主表示領域１０に表示し、また、Ｍｅｓｓａｇｉｎｇ  ＵＩ連携部５が、副表示領域２０において、ＩＭＳ１についてのＩＭＳアイコンを表示する。
【００４２】
上述した手順に従えば、図３に例示したように、ＩＭＳ１（Instant Message Service A）を主表示領域１０に表示中に、サインイン済みのＩＭＳ２（Instant Message Service B）に対する新着メッセージが到着した場合には、メッセージ通知部４からの通知を受けたＭｅｓｓａｇｉｎｇ  ＵＩ連携部５が、現在表示閲覧中のＩＭＳ１に対するメッセージではなくてＩＭＳ２に対するメッセージが到着したことを判断し、ＩＭＳ２のＩＭＳアイコン２１に未読メッセージ存在アイコン３１を表示させるように、表示制御部６に対して表示画面更新命令を出力する。Ｍｅｓｓａｇｉｎｇ  ＵＩ連携部５からの表示命令を受けた表示制御部６は、表示部７に対して表示画面更新命令を出力する。さらに、副表示領域２０のＩＭＳアイコン２１において未読メッセージ存在アイコン３１が表示される。
【００４３】
従って、ユーザは、複数のＩＭＳ１〜３のアカウントにサインインした状態で、ＩＭＳ１の内容を主表示領域１０に常に表示させたままで、同時に、他のＩＭＳ（ＩＭＳ２やＩＭＳ３）についての未読メッセージの存在を確認することができる。また、ユーザは、他のＩＭＳ（ＩＭＳ２やＩＭＳ３）の新着メッセージの到着と未読メッセージの存在を、画面を切り替えることなく知ることができる。
【００４４】
なお、本発明は上記実施の形態に限られたものではなく、趣旨を逸脱しない範囲で適宜変更することが可能である。
【００４５】
以上、実施の形態を参照して本願発明を説明したが、本願発明は上記によって限定されるものではない。本願発明の構成や詳細には、発明のスコープ内で当業者が理解し得る様々な変更をすることができる。
【００４６】
この出願は、２０１１年２月１５日に出願された日本出願特願２０１１−０２９６６４を基礎とする優先権を主張し、その開示の全てをここに取り込む。
【符号の説明】
【００４７】
１００  携帯端末装置、
１〜３  ＩＭＳ、
４  メッセージ通知部、
５  Ｍｅｓｓａｇｉｎｇ  ＵＩ連携部、
６  表示制御部、
７  表示部、
１１０  表示画面、
１０  主表示領域、
２０  副表示領域、
２１、２２  ＩＭＳアイコン、
３１  未読メッセージ存在アイコン
【図１】
2012111058.tif 000003
【図２】
2012111058.tif 000004
【図３】
2012111058.tif 000005
【図４】
2012111058.tif 000006
【国際調査報告】
2012111058.tif 000007
2012111058.tif 000008
2012111058.tif 000009